(57)【要約】      （修正有）【課題】睡眠者を心地良く目覚めさせる（快適に覚醒させる）照明制御装置を提供する。【解決手段】照明制御装置７は、生体情報取得部７１、照明制御部７２、記憶部７３を含んで構成され、振動センサー５ａから得られる被測定者の生体情報を取得する取得部７１と、取得した生体情報に基づいて、発光パターンを記憶部から読み出して、照明装置から被測定者に照射する、被測定者を睡眠から覚醒させる光の発光状況を制御する照明制御部７２と、を有する。【選択図】図１
2019069093.tif 000002
【特許請求の範囲】
【請求項１】
振動センサーから得られる被測定者の生体情報を取得する取得部と、
取得した前記生体情報に基づいて、照明装置から前記被測定者に照射する、前記被測定者を睡眠から覚醒させる光の発光状況を制御する制御部と、
を有する照明制御装置。
【請求項２】
前記発光状況を表す発光パターンを前記生体情報に対応して記憶する記憶部を有し、
前記制御部は、前記取得した生体情報に対応する前記発光パターンに従って前記照明装置を制御する
請求項１記載の照明制御装置。
【請求項３】
前記発光パターンには前記光を照射する照射時間を示す情報が含まれており、
前記制御部は、前記取得した生体情報に対応する前記照射時間が経過すると、前記生体情報を再度取得し、当該再度取得した生体情報と前回取得した生体情報との関係に応じた発光パターンを前記記憶部から読み出して発光状況を制御する
請求項２記載の照明制御装置。
【請求項４】
前記発光パターンには前記光の色温度を示す情報が含まれており、
前記制御部は、前記取得した生体情報に対応する前記色温度に応じた光を照射するように前記照明装置を制御する
請求項１から請求項３のうちいずれか１項に記載の照明制御装置。
【請求項５】
照明装置に接続される照明制御装置における照明制御方法であって、
取得部が、振動センサーから得られる被測定者の生体情報を取得し、
制御部が、取得した前記生体情報に基づいて、照明装置から前記被測定者に照射する、前記被測定者を睡眠から覚醒させる光の発光状況を制御する
照明制御方法。
【発明の詳細な説明】
【技術分野】
【０００１】
本発明は、照明装置を制御する照明制御装置および照明制御方法に関する。
【背景技術】
【０００２】
就寝者のメラトニン分泌量抑制を低減する照明への切り替えを制御する照明制御装置がある（特許文献１参照）。ここで、メラトニンとは、睡眠と覚醒のリズムを調整する睡眠ホルモンであり、光により抑制されることが知られている。そのため、特許文献１記載の照明制御装置は、メラトニンの分泌抑制を低減するための照明装置（メラトニン分泌抑制低減装置）への切り替えタイミングを早めることで、メラトニン分泌を促し、就寝者の入眠を円滑にしている。
【先行技術文献】
【特許文献】
【０００３】
【特許文献１】特許第４８９４１８５号公報
【発明の概要】
【発明が解決しようとする課題】
【０００４】
特許文献１記載の照明制御装置では、就寝者の入眠を円滑にすることができる。しかしながら、円滑に入眠できるだけでなく、円滑に覚醒できることも望ましい。
【０００５】
本発明は、上記の事情を考慮してなされたものであり、睡眠者を円滑に覚醒させる照明制御装置および照明制御方法を提供することを目的とする。
【課題を解決するための手段】
【０００６】
上記課題を解決するため、本発明の一態様は、振動センサーから得られる被測定者の生体情報を取得する取得部と、取得した前記生体情報に基づいて、照明装置から前記被測定者に照射する、前記被測定者を睡眠から覚醒させる光の発光状況を制御する制御部と、を有する。
【０００７】
また、本発明の一態様は、上記の照明制御装置であって、前記発光状況を表す発光パターンを前記生体情報に対応して記憶する記憶部を有し、前記制御部は、前記取得した生体情報に対応する前記発光パターンに従って前記照明装置を制御する。
【０００８】
また、本発明の一態様は、上記の照明制御装置であって、前記発光パターンには前記光を照射する照射時間を示す情報が含まれており、前記制御部は、前記取得した生体情報に対応する前記照射時間が経過すると、前記生体情報を再度取得し、当該再度取得した生体情報と前回取得した生体情報との関係に応じた発光パターンを前記記憶部から読み出して発光状況を制御する。
【０００９】
また、本発明の一態様は、上記の照明制御装置であって、前記発光パターンには前記光の色温度を示す情報が含まれており、前記制御部は、前記取得した生体情報に対応する前記色温度に応じた光を照射するように前記照明装置を制御する。
【００１０】
また、本発明の一態様は、照明装置に接続される照明制御装置における照明制御方法であって、取得部が、振動センサーから得られる被測定者の生体情報を取得し、制御部が、取得した前記生体情報に基づいて、照明装置から前記被測定者に照射する、前記被測定者を睡眠から覚醒させる光の発光状況を制御する。
【発明の効果】
【００１１】
本発明によれば、取得した生体情報に基づいて、照明装置から睡眠状態にある被測定者に照射する光の発光状況を制御するようにしたので、被測定者の睡眠状態に応じた発光状況となるように照明装置から光を照射することができるため、円滑に覚醒させることができる。
【図面の簡単な説明】
【００１２】
【図１】本発明の一実施形態による照明システムの構成を示す概略構成図である。
【図２】照明が睡眠者に照射する光の色温度および照射時間を示す照明の発光状況を説明するための図である。
【図３】照明制御部が行う照明制御の処理を説明するためのフロー図である。
【発明を実施するための形態】
【００１３】
以下、本発明の一実施形態による照明システムについて図面を参照して説明する。
図１は、この発明の一実施形態による照明システム１の構成を示す概略構成図である。
照明システム１は、生体情報検出装置５、照明装置６、照明制御装置７を含んで構成される。
生体情報検出装置５は、振動センサー５ａ、信号処理装置５ｂを含んで構成される。
振動センサー５ａは、被測定者の生体からの振動を検出し、身体振動信号を出力する。振動センサー５ａは、例えば圧電センサーであるセンサーシートによって構成され、人が就寝する場所に設けられる。就寝する場所としては、ベッドや、椅子（ソファー）等である。例えば、振動センサー５ａは、生体とマットレスとの間に配置される。
信号処理装置５ｂは、振動センサー５ａが出力する身体振動信号に基づいて、フィルタ手段により、人の生体情報（心拍数、呼吸、体動）を分析することで、被測定者の睡眠状態を推定する。すなわち、信号処理装置５ｂは、振動センサー５ａが出力する身体振動信号に基づいて、フィルタ手段により、人の生体情報（心拍数、呼吸、体動）を分析し、分析結果に応じて被測定者の睡眠状態を表す分析結果（本実施形態では分析結果レベル１〜レベル５で表す）を得ることで睡眠状態を推定する。睡眠状態としては、例えば、睡眠深度によって表すことができる。この推定する処理は、既存技術を用いるようにしてもよい。なお、生体情報検出装置５は、就寝する場所（ベッド、椅子等）に被測定者となる人がいるか否かを判定する感圧スイッチを含んで構成されてもよい。
【００１４】
照明装置６は、低色照明６ａ、高色照明６ｂ、発光制御部６ｃを含んで構成される。
低色照明６ａおよび高色照明６ｂ（照明）は、光源であり、例えばＬＥＤ照明がもちいられる。低色照明６ａは電球色を出射（発光）し、高色照明６ｂは、白色を出射（発光）する。低色照明６ａの色温度は、例えば２５００Ｋ（ケルビン）であり、高色照明６ｂの色温度（例えば、５０００Ｋ）より、低い色温度が設定されている。すなわち、低色照明６ａおよび高色照明６ｂは、両方が点灯する場合には、睡眠者（被測定者）を覚醒させる際に、それぞれが出力する色温度が互いに異なる光を出射することで混色され、睡眠者に照射する。
本実施形態においては、低色照明６ａおよび高色照明６ｂは、後述するように、色温度が一定の３５００Ｋであって、明るさ（照度）が０％〜１００％へと移行する時間（以下、照射時間という）を含む光を、振動センサー５ａの上にいる睡眠者に照射するように、発光制御部６ｃにより制御される。すなわち、発光制御部６ｃは、低色照明６ａおよび高色照明６ｂを制御して、睡眠者を覚醒させる際に、色温度が一定であり、照度が０％〜１００％へと移行する光を、振動センサー５ａの上にいる睡眠者に照射させる。
【００１５】
照明制御装置７は、生体情報取得部７１、照明制御部７２、記憶部７３を含んで構成され、発光制御部６ｃに対して、低色照明６ａおよび高色照明６ｂの点灯や消灯、低色照明６ａおよび高色照明６ｂの発光強度を制御する。これにより、任意の色温度の光で照明したり、照明装置６の点灯および消灯を制御することができる。
生体情報取得部７１は、生体情報検出装置５に接続され、振動センサー５ａから得られる被測定者の生体情報に基づく分析結果を取得する。ここでは、生体情報取得部７１に信号処理装置５ｂの機能を設け、生体情報取得部７１が振動センサ５ａから生体情報を取得し、得られた生体情報から分析結果を得るようにしてもよい。
照明制御部７２は、生体情報取得部７１の出力に接続され、睡眠者の生体情報に対応する分析結果に基づいて、照明装置６から被測定者に照射する、被測定者を睡眠から覚醒させる光の発光状況を制御する。発光状況としては、例えば照明装置６から照射する光の色温度や光を照射する時間を表す照射時間の少なくともいずれか１つであり、発光の仕方を規定できるものであればよい。照明制御部７２は、発光状況として、具体的に、低色照明６ａおよび高色照明６ｂが睡眠者に照射するそれぞれの光の発光強度を制御することで、目標の色温度にて照明装置６を点灯させたり、照明装置６の照射時間（点灯している期間）を制御する。
【００１６】
図２は、低色照明６ａおよび高色照明６ｂが睡眠者に照射する光の色温度および照射時間を示す低色照明６ａおよび高色照明６ｂの発光状況を説明するための図である。
図２（ａ）は、生体情報について説明する図である。生体情報に基づく分析結果であるレベル１〜レベル５に、例えば、睡眠者の睡眠状態が対応付けられている。ここでは、レベル１に対して睡眠深度が「浅い」、レベル２に対して睡眠深度が「やや浅い」、レベル３に対して睡眠深度が「通常」、レベル４に対して睡眠深度が「やや深い」、レベル５に対して睡眠深度が「深い」が対応付けられている。ここでは、睡眠深度は、レベル０として「覚醒」の深度を用いることもできる。
信号処理装置５ｂは、睡眠者の生体情報である、心拍数、呼吸、体動の振幅の度合や周期等の組み合わせから、レベル１〜レベル５のいずれに該当するかを決定することで、睡眠者の睡眠状態を推定する。また、照明制御部７２は、推定した睡眠者の眠り状態を、生体情報に対応する分析結果として、予め記憶部７３に記憶させることができる。
【００１７】
図２（ｂ）は、記憶部７３に記憶される情報の一例を説明する図である。
ここでは、発光状況は、発光パターンによって定められる。発光パターンは、例えば、色温度と照射時間とを含む情報である。
発光パターンＡは、色温度として３５００Ｋ、照射時間として１分を含む。ここでは、照明制御部７２は、色温度が指定されると、所定の制御ルールに従って、低色照明６ａおよび高色照明６ｂのそれぞれの発光強度を定めることで、指定された色温度で照明装置６を点灯させることが可能である。ただし、本実施形態においては、図２に示すように、発光パターンＡから発光パターンＥにおいて、色温度は同じ３５００Ｋであるが、発光パターン毎に異なる色温度が設定されていてもよい。ここで、３５００Ｋという色温度の値は、睡眠者が目覚める朝の光（外光）を考慮して定められた色温度であり、この色温度で照明装置６が点灯することで、被測定者を睡眠から覚醒させる光として照明することができる。
ここで、色温度を発光パターンに応じて異なる色温度とする場合、例えば、低色照明６ａと高色照明６ｂとの混色の比率（例えば発光強度の比率）を変更することで、所望の色温度とすることができる。例えば、被測定者を覚醒する時点における室内の環境や睡眠状態に応じた色温度とすることができる。一例としては、遮光性能がある程度低めのカーテンが設けられた室内において、外光（朝日）がある程度入り込むような時間帯においては、
高色照明６ｂが低色照明６ａより高くなるように設定し、色温度がある程度高い状態で照明装置６を点灯するようにしてもよい。これにより、外光よりも高い色温度の光を照射することで円滑に覚醒することが可能である。また、遮光性能がある程度高めのカーテンが設けられた室内において、外光（朝日）があまり入り込まないような環境において、被測定者の睡眠状態が深い場合に、色温度が高い状態で照明装置６を点灯すると、被測定者を覚醒させることは可能であるが、必ずしも心地よい覚醒とならない場合があるため、例えば、低色照明６ａが高色照明６ｂより高くなるように設定し、色温度がある程度低い状態で照明装置６を点灯するようにしてもよい。そして照射時間が経過しても睡眠状態が覚醒状態に近づかない場合には、色温度を高くして照明することで、睡眠状態を段階的に覚醒に近づけつつ覚醒させることができ、これにより、円滑に、かつ、心地よい状態で覚醒させることができる。このような発光パターンは、室内の環境や、外光が入り込む度合、目標の起床時刻、被測定者が睡眠状態から覚醒に移行する個人の特性等に応じて任意に決めることができる。
【００１８】
また、発光パターンのうち、照射時間は、低色照明６ａおよび高色照明６ｂの睡眠者に照射する明るさが０％〜１００％へと移行する時間として用いることができる。発光パターンＡ〜Ｅにおける１００％点灯までの時間各々は、振動センサーの分析結果によって得られた、ノンレム睡眠（深い睡眠の状態を含み、脳波が徐波になり、呼吸、心拍、血圧が低下している状態をいう）とレム睡眠（浅い睡眠の状態に当たり、脳波が覚醒状態に近い早い波であり、呼吸、心拍、血圧が乱れている状態をいう）との周期から、睡眠者の睡眠ステージの推移を推定することによって設定することができる。例えば、図２に示すように、レム睡眠時（レベル１）に１００％点灯に至るように照射時間１分を設定し、レベル２〜５に、照射時間５分、１０分、１５分、２０分を設定してもよい。
【００１９】
例えば、図２に示すように、照明制御部７２は、睡眠者の分析結果（生体情報）がレベル１の場合、睡眠者の眠り状態が「浅い」状態にあると判断し、発光パターンＡとして色温度が３５００Ｋで照射時間が１分の光を、低色照明６ａおよび高色照明６ｂが睡眠者に照射するように制御する。
また、照明制御部７２は、睡眠者の分析結果がレベル２の場合、睡眠者の眠り状態が「やや浅い」状態にあると判断し、発光パターンＢとして色温度が３５００Ｋで照射時間が５分の光を、低色照明６ａおよび高色照明６ｂが睡眠者に照射するように制御する。
また、照明制御部７２は、睡眠者の分析結果がレベル３の場合、睡眠者の眠り状態が「普通」状態にあると判断し、発光パターンＣとして色温度が３５００Ｋで照射時間が１０分の光を、低色照明６ａおよび高色照明６ｂが睡眠者に照射するように制御する。
また、照明制御部７２は、睡眠者の分析結果がレベル４の場合、睡眠者の眠り状態が「やや深い」状態にあると判断し、発光パターンＤとして色温度が３５００Ｋで照射時間が１５分の光を、低色照明６ａおよび高色照明６ｂが睡眠者に照射するように制御する。
また、照明制御部７２は、睡眠者の分析結果がレベル５の場合、睡眠者の眠り状態が「深い」状態にあると判断し、発光パターンＥとして色温度が３５００Ｋで照射時間が２０分の光を、低色照明６ａおよび高色照明６ｂが睡眠者に照射するように制御する。
このように、照明制御部７２は、記憶部７３から読み出した生体情報に対応する発光状況及び照射時間を用いて低色照明６ａおよび高色照明６ｂを制御する。なお、本実施形態においては、分析結果および発光状況について５つの例を示しているが、この数は５つに限定されることなく、５つ以上であってもよい。
【００２０】
以上説明したように、睡眠者（被測定者）の生体情報に基づいて、低色照明６ａおよび高色照明６ｂ（照明）が睡眠者に照射する光の色温度及び照射時間を示す照明の発光状況を、睡眠者を睡眠から覚醒させるため制御する照明制御部７２（制御部）を有する。
また、照明制御装置７は、発光状況を含む発光パターンを生体情報に対応して記憶する記憶部７３を有し、照明制御部７２は、記憶部７３から読み出した生体情報に対応する発光状況を用いて低色照明６ａおよび高色照明６ｂを制御する。
これによれば、照明制御装置７が有する照明制御部７２は、生体情報の分析結果（レベル１〜レベル５）に対応する睡眠状態（「浅い」〜「深い」）に基づいて、色温度が３５００Ｋ（睡眠者の目覚める朝の光に合わせた色温度）、照射時間が（１分〜２０分）の照明の光を、被測定者を睡眠から覚醒させるため、照明が睡眠者に照射する制御を行う。つまり、睡眠者の眠りの状態が浅いときは、１００％の点灯状態になるまでの時間を短くし、睡眠者の眠りの状態が深いときは、１００％の点灯状態になるまでの時間を長くする。
これにより、睡眠者を心地良く目覚めさせる（快適に覚醒させる）照明制御装置７を提供することができる。
【００２１】
また、照明制御部７２は、記憶部７３から読み出した生体情報に対応する照射時間のうち所定時間が経過した後に、再度取得した生体情報と前回取得した生体情報との関係から発光パターンを選択し、発光状況を決定する。
すなわち、複数回の分析結果を用いる場合、１回目の分析結果に対応して照明の発光状況を制御する照明制御部７２が、図２に示す照射時間の開始から一定時間（所定時間という）経過したときに、２回目の分析結果を得て、２回目の分析結果と１回目の分析結果との関係から発光パターンを選択し、発光状況を決定する。
【００２２】
例を上げて説明すれば、１回目の分析結果がレベル３であるとき、発光パターンＣにより照明の制御が開始されるが、照明が所定の明るさ（例えば５０％）まで移行した段階で、２回目の分析結果を反映して２回目の発光パターンを決定する。
２回目の分析結果が１回目の分析結果と同等か、或いは浅くなっている場合、例えば、２回目の分析結果がレベル３である場合（２回目の分析結果が１回目の分析結果と同じであり、睡眠レベルが同等である場合）や、２回目の分析結果がレベル１である場合（２回目の分析結果が１回目の分析結果より、睡眠レベルが浅くなっている場合）には、発光パターンを発光パターンＣから発光パターンＡに変更する。具体的には、明るさが５０％から１００％に移行するまでの時間を発光パターンＣが要する５分（１０分÷２＝５分）から発光パターンＡが要する０．５分（１分÷２＝０．５分）に変更し、０％から１００％の点灯状態になるまでの時間を、１０分（５分＋５分＝１０分）から５．５分（５分＋０．５分）へと早める。
【００２３】
一方、２回目の分析結果が１回目の分析結果より深くなっている場合、例えば、２回目の分析結果がレベル５である場合（２回目の分析結果が１回目の分析結果より、睡眠レベル深くなっている場合）には、発光パターンを発光パターンＣに維持するか、発光パターンを１００％に移行するまでの時間がパターンＥより早いパターン（例えば、パターンＤ）に変更する。具体的には、明るさが５０％から１００％に移行するまでの時間を、発光パターンＣが要する５分（１０分÷２＝５分）のまま維持し、０％から１００％の点灯状態になるまでの時間を、１０分（５分＋５分＝１０分）のまま維持する。あるいは、明るさが５０％から１００％に移行するまでの時間を発光パターンＣが要する５分（１０分÷２＝５分）から発光パターンＤが要する７．５分（１５分÷２＝７．５分）に変更し、０％から１００％の点灯状態になるまでの時間を、１０分（５分＋５分＝１０分）から１２．５分（５分＋７．５分）へと変更し、浅くなっている場合よりは、明るさが０％から１００％に移行するまでの変化のスピードを遅くする。
なお、１回目と２回目で都合２回、生体情報を取得し、パターンの決定を２回行っているが、３回以上生体情報を取得し、３回以上パターンを決定してもよい。
【００２４】
図３は、照明制御部７２が行う照明制御の処理を説明するためのフロー図である。
照明制御部７２は、生体情報の取得を行う（ステップＳＴ１）。具体的には、照明制御部７２は、分析結果１〜５を取得する。
続いて、照明制御部７２は、睡眠状態の推定を行う（ステップＳＴ２）。具体的には、照明制御部７２は、分析結果１〜５に基づいて、睡眠者の睡り状態を推定する。
次に、照明制御部７２は、発光パターンの決定を行う（ステップＳＴ３）。具体的には、
照明制御部７２は、記憶部７３に記憶された睡眠者の眠り状態に対応する発光パターンＡ〜Ｅのうち一つの発光パターンを読み出す。
次に、照明制御部７２は、発光パターンに応じて照明を制御する（ステップＳＴ４）。具体的には、照明制御部７２は、本時実施形態において、色温度が３５００Ｋで照射時間が発光パターンＡ〜Ｅに対応する１分〜３０分の光を、低色照明６ａおよび高色照明６ｂが睡眠者に照射するように制御する。なお、この際、生体情報に基づく睡眠深度が「覚醒」を示しており、睡眠者が起床している場合、照明制御部７２が、低色照明６ａおよび高色照明６ｂを消灯させてもよい。
続いて、照明制御部７２は、制御時間が到来したか否かを判定する。ここで、制御時間とは、上記実施形態において、所定時間を設定する制御を行っている場合（発光パターンの切り替えを行っている場合）は、所定時間に該当し、所定時間を設定する制御を行っていない場合は、１００％の照射時間に該当する。照明制御部７２は、制御時間が到来したと判断した場合（ステップＳＴ５−Ｙｅｓ）、ステップＳＴ１に進み、生体情報の取得を行い、睡眠者が起床していないものとして、以降の処理ＳＴ２以降を進める。或いは、睡眠者が起床している場合、ステップＳＴ１に進まず、低色照明６ａおよび高色照明６ｂを消灯させてもよい。一方、照明制御部７２は、制御時間が到来したと判断しない場合（ステップＳＴ５−Ｎｏ）、制御時間が所定時間、または１００％の照射時間となるのを待って、ステップＳＴ５−Ｙｅｓに進む。
【００２５】
これによれば、照明制御部７２は、記憶部７３から読み出した生体情報に対応する照射時間のうち所定時間が経過した後に、再度取得した生体情報と前回取得した生体情報との関係から発光パターンを選択し、発光状況を決定する。すなわち、複数回の分析結果を用いる場合、１回目の分析結果に対応して照明の発光状況を制御する照明制御部７２が、図２に示す照射時間の開始から一定時間（所定時間）経過したときに、２回目の分析結果を得て、２回目の分析結果と１回目の分析結果との関係から発光パターンを選択し、発光状況を決定する。つまり、睡眠者の睡眠状態を複数回検出することにより発光パターンの決定を行う。
これにより、睡眠者の睡眠状態を精度よく検出でき、睡眠者をより心地良く目覚めさせる（快適に覚醒させる）照明制御装置７を提供することができる。
【００２６】
上述した実施形態における照明制御装置７をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００２７】
以上、この発明の実施形態について図面を参照して詳述してきたが、具体的な構成はこの実施形態に限られるものではなく、この発明の要旨を逸脱しない範囲の設計等も含まれる。
【符号の説明】
【００２８】
１  照明システム
５  生体情報検出装置
５ａ  振動センサー
５ｂ  信号処理装置
６  照明装置
６ａ  低色照明
６ｂ  高色照明
６ｃ  発光制御部
７  照明制御装置
７１  生体情報取得部
７２  照明制御部
７３  記憶部
【図１】
2019069093.tif 000003
【図２】
2019069093.tif 000004
【図３】
2019069093.tif 000005